(57)【特許請求の範囲】
【請求項１】
対向配置した内障子と外障子との間に充填空間を構成した障子を、窓枠にヒンジを介して開き戸形式で開閉自在に装着し、
且つ樹脂粒を貯留タンクから前記充填空間に搬送して当該充填空間に充填すると共に、充填した樹脂粒を当該充填空間から当該貯留タンクに搬送して当該貯留タンクに回収することで、採光機能に加え断熱・日除け機能を持たせた窓ユニットであって、
前記貯留タンクと前記充填空間とを連通する樹脂粒充填用の充填通路と、
前記貯留タンクと前記充填空間とを連通する樹脂粒回収用の回収通路と、
前記充填通路を介して前記貯留タンクから前記充填空間に樹脂粒をエアー搬送すると共に、前記回収通路を介して前記充填空間から前記貯留タンクに樹脂粒をエアー搬送する搬送機構と、
前記障子の開閉を許容した状態で、前記充填通路を前記窓枠側と前記障子側との間で連続させる充填通路ジョイント部材と、
前記障子の開閉を許容した状態で、前記回収通路を前記窓枠側と前記障子側との間で連続させる回収通路ジョイント部材とを備えたことを特徴とする窓ユニット。
【請求項２】
前記充填通路ジョイント部材および前記回収通路ジョイント部材は、前記充填通路の一部および前記回収通路の一部を構成する内部通路を、それぞれ形成した窓枠側部材および障子側部材を有し、
前記窓枠側部材および前記障子側部材は、それぞれの前記内部通路を前記ヒンジと同軸上に位置させた状態で、当該ヒンジの軸線廻りに相互に回動自在に接合していることを特徴とする請求項１に記載の窓ユニット。
【請求項３】
前記充填通路ジョイント部材および前記回収通路ジョイント部材は、前記充填通路の一部および前記回収通路の一部を構成する内部通路を、それぞれ形成した窓枠側部材および障子側部材を有し、
前記窓枠側部材および前記障子側部材は、それぞれの前記内部通路を前記ヒンジの軸芯を中心とする円弧上に位置させた状態で、当該ヒンジの軸芯廻りに相互に伸縮自在に接合していることを特徴とする請求項１に記載の窓ユニット。
【請求項４】
前記充填通路ジョイント部材および前記回収通路ジョイント部材は、前記充填通路の一部および前記回収通路の一部を構成する内部通路を、それぞれ形成した窓枠側部材および障子側部材を有し、
前記窓枠側部材および前記障子側部材は、それぞれの軸部に前記内部通路を形成した前記ヒンジの窓枠側ヒンジ片および前記ヒンジの障子側ヒンジ片であることを特徴とする請求項１に記載の窓ユニット。
【請求項５】
対向配置した内障子と外障子との間に充填空間を構成した障子を、窓枠にヒンジを介して開き戸形式で開閉自在に装着し、
且つ樹脂粒を貯留タンクから前記充填空間に搬送して当該充填空間に充填すると共に、充填した樹脂粒を当該充填空間から当該貯留タンクに搬送して当該貯留タンクに回収することで、採光機能に加え断熱・日除け機能を持たせた窓ユニットであって、
前記貯留タンクと前記充填空間とを連通する樹脂粒充填用の充填通路と、
前記貯留タンクと前記充填空間とを連通する樹脂粒回収用の回収通路と、
前記充填通路を介して前記貯留タンクから前記充填空間に樹脂粒をエアー搬送すると共に、前記回収通路を介して前記充填空間から前記貯留タンクに樹脂粒をエアー搬送する搬送機構とを備え、
前記充填通路を構成する充填ダクト部材と前記回収通路を構成する回収ダクト部材とが、一方を外ダクトとし他方をその内部に同軸上に収容した内ダクトとする二重ダクト構造で構成されていることを特徴とする窓ユニット。
【請求項６】
前記ヒンジは、窓枠側ヒンジ部材である前記外ダクトと、当該外ダクトに対し同軸上に回動自在に軸支された障子側ヒンジ部材とで構成されており、
且つ前記障子の開閉を許容した状態で、前記外ダクトと前記充填空間とを接続する外ダクトジョイント部材と、前記障子の開閉を許容した状態で、前記内ダクトと前記充填空間とを接続する内ダクトジョイント部材とを備え、
前記外ダクトジョイント部材は、前記外ダクトに対し同軸上に回動自在に接合され、前記内ダクトジョイント部材は、前記内ダクトに対し同軸上に回動自在に接合されていることを特徴とする請求項５に記載の窓ユニット。
【発明の詳細な説明】
【０００１】
【発明の属する技術分野】
本発明は、対向配置した内障子および外障子間の充填空間に、樹脂粒を充填するか否かで採光機能に加え断熱・日除け機能を持たせた窓ユニットに関する。
【０００２】
【従来の技術】
従来、この種の窓ユニットとして、例えば特公平７−５９８７０号公報に記載のものが知られている。この窓ユニットは、対向配置した一対の透明板間に充填空間を構成し、この充填空間に貯留タンクから球状の樹脂粒を自由落下させて充填すると共に、充填した樹脂粒を貯留タンクに回収して充填空間から除去することで、採光機能に加え断熱・日除け機能を持たせている。
貯留タンクと充填空間との間には、シャッタが介設されており、このシャッタを開放することにより、樹脂粒が自由落下して充填空間に充填される。また、充填空間の下部と貯留タンクとは回収ダクト（パイプ）で接続されており、貯留タンクに収容したブロワーを駆動することにより、充填空間内の樹脂粒が吸引され（エアー搬送され）て貯留タンクに回収される。
【０００３】
【発明が解決しようとする課題】
このような従来の窓ユニットでは、障子を構成する一対の透明板が窓枠に対しはめ殺しで装着されているため、断熱・日除け機能に対し窓の持つ換気機能が相殺されてしまう問題があった。もちろん、上記の従来の窓ユニットにおいて、障子を開閉形式にすることも不可能ではないが、かかる場合には、障子の開放時に充填空間の上下両端を閉塞する機構を設ける必要があり、シールを含め構造が極めて複雑になることが想定される。しかも、樹脂粒を自由落下で充填する構造であるため、障子を開放した状態では、樹脂粒の充填および回収が不可能となってしまう。
【０００４】
本発明は、障子を開閉可能として換気機能を持たせ得ると共に、障子を開放した状態でも樹脂粒の充填および回収が可能な窓ユニットを提供することをその目的としている。
【０００５】
【課題を解決するための手段】
本発明の窓ユニットは、対向配置した内障子と外障子との間に充填空間を構成した障子を、窓枠にヒンジを介して開き戸形式で開閉自在に装着し、且つ樹脂粒を貯留タンクから充填空間に搬送して充填空間に充填すると共に、充填した樹脂粒を充填空間から貯留タンクに搬送して貯留タンクに回収することで、採光機能に加え断熱・日除け機能を持たせた窓ユニットであって、貯留タンクと充填空間とを連通する樹脂粒充填用の充填通路と、貯留タンクと充填空間とを連通する樹脂粒回収用の回収通路と、充填通路を介して貯留タンクから充填空間に樹脂粒をエアー搬送すると共に、回収通路を介して充填空間から貯留タンクに樹脂粒をエアー搬送する搬送機構と、障子の開閉を許容した状態で、充填通路を窓枠側と障子側との間で連続させる充填通路ジョイント部材と、障子の開閉を許容した状態で、回収通路を窓枠側と障子側との間で連続させる回収通路ジョイント部材とを備えたことを特徴とする。
【０００６】
この構成によれば、窓枠に対し障子を、開き戸形式で開閉自在に装着しているため、障子に、採光機能および断熱・日除け機能に加え換気機能を持たせることができる。また、充填通路ジョイント部材および回収通路ジョイント部材により、障子の開閉を許容した状態で、充填通路および回収通路を連続させることができるため、障子の開放状態および閉塞状態に関わらず、樹脂粒を充填空間に充填する充填動作、および貯留タンクに回収する回収動作を行うことができる。
【０００７】
この場合、充填通路ジョイント部材および回収通路ジョイント部材は、充填通路の一部および回収通路の一部を構成する内部通路を、それぞれ形成した窓枠側部材および障子側部材を有し、窓枠側部材および障子側部材は、それぞれの内部通路をヒンジと同軸上に位置させた状態で、ヒンジの軸線廻りに相互に回動自在に接合していることが、好ましい。
【０００８】
この構成によれば、それぞれの内部通路をヒンジと同軸上に位置させた状態で、窓枠側部材および障子側部材をヒンジの軸線廻りに相互に回動自在に接合しているため、障子が開閉しても、ヒンジ廻りにおける充填通路および回収通路の長さや位置や断面形状が変化することがなく、充填通路および回収通路の連続性を維持することができる。
【０００９】
同様に、充填通路ジョイント部材および回収通路ジョイント部材は、充填通路の一部および回収通路の一部を構成する内部通路を、それぞれ形成した窓枠側部材および障子側部材を有し、窓枠側部材および障子側部材は、それぞれの内部通路をヒンジの軸芯を中心とする円弧上に位置させた状態で、ヒンジの軸芯廻りに相互に伸縮自在に接合していることが、好ましい。
【００１０】
この構成によれば、それぞれの内部通路をヒンジの軸芯を中心とする円弧上に位置させた状態で、窓枠側部材および障子側部材を、ヒンジの軸芯廻りに相互に伸縮自在に接合しているため、障子が開閉しても、ヒンジ廻りにおける充填通路の位置や断面形状が変化することがなく、充填通路および回収通路の連続性を維持することができる。
【００１１】
同様に、充填通路ジョイント部材および回収通路ジョイント部材は、充填通路の一部および回収通路の一部を構成する内部通路を、それぞれ形成した窓枠側部材および障子側部材を有し、窓枠側部材および障子側部材は、それぞれの軸部に内部通路を形成したヒンジの窓枠側ヒンジ片およびヒンジの障子側ヒンジ片であることが、好ましい。
【００１２】
この構成によれば、窓枠側部材および障子側部材を、それぞれの軸部に内部通路を形成したヒンジの窓枠側ヒンジ片および障子側ヒンジ片で構成して、ヒンジ自体に充填通路および回収通路を組み込む構成としているため、障子が開閉しても、ヒンジ廻りにおける充填通路および回収通路の長さや位置や断面形状が変化することがなく、充填通路および回収通路の連続性を維持することができる。また、障子のヒンジと、充填通路ジョイント部材および回収通路ジョイント部材とを兼用することができるため、部品点数を削減することができる。
【００１３】
本発明の他の窓ユニットは、対向配置した内障子と外障子との間に充填空間を構成した障子を、窓枠にヒンジを介して開き戸形式で開閉自在に装着し、且つ樹脂粒を貯留タンクから充填空間に搬送して充填空間に充填すると共に、充填した樹脂粒を充填空間から貯留タンクに搬送して貯留タンクに回収することで、採光機能に加え断熱・日除け機能を持たせた窓ユニットであって、貯留タンクと充填空間とを連通する樹脂粒充填用の充填通路と、貯留タンクと充填空間とを連通する樹脂粒回収用の回収通路と、充填通路を介して貯留タンクから充填空間に樹脂粒をエアー搬送すると共に、回収通路を介して充填空間から貯留タンクに樹脂粒をエアー搬送する搬送機構とを備え、充填通路を構成する充填ダクト部材と回収通路を構成する回収ダクト部材とが、一方を外ダクトとし他方をその内部に同軸上に収容した内ダクトとする二重ダクト構造で構成されていることを特徴とする。
この場合、ヒンジは、窓枠側ヒンジ部材である外ダクトと、外ダクトに対し同軸上に回動自在に軸支された障子側ヒンジ部材とで構成されており、且つ障子の開閉を許容した状態で、外ダクトと充填空間とを接続する外ダクトジョイント部材と、障子の開閉を許容した状態で、内ダクトと充填空間とを接続する内ダクトジョイント部材とを備え、外ダクトジョイント部材は、外ダクトに対し同軸上に回動自在に接合され、内ダクトジョイント部材は、内ダクトに対し同軸上に回動自在に接合されていることが、好ましい。
【００１４】
この構成によれば、充填通路と回収通路とを二重ダクト構造にすることにより、これらを別々にした場合に比してダクトスペースを小さくすることができ、スペース効率を向上させることができる。
また、外ダクトを窓枠側ヒンジ部材とすることで、障子が開閉しても、ヒンジ廻りにおける充填通路および回収通路の長さや位置や断面形状が変化することがなく、充填通路および回収通路の連続性を維持することができる。
【００１５】
【発明の実施の形態】
以下、添付図面を参照して、本発明の一実施形態に係る窓ユニットについて説明する。図１は模式的に表した窓ユニットの構造図であり、同図に示すように、窓ユニット１は、対向配置した内障子２ａおよび外障子２ｂ間に充填空間３を構成した開き戸形式の障子２と、上下一対のヒンジ４，４を介して障子２を開閉自在に支持する窓枠５と、窓枠５の上側に配設した樹脂粒Ａを貯留するための貯留タンク６と、貯留タンク６に接続したブロワーユニット（搬送機構）７とを備えている。貯留タンク６とブロワーユニット７とは、屋外側に庇状に突出するタンクカバー８に覆われており、タンクカバー８は窓枠５や障子２と一体的にデザインされている。
【００１６】
貯留タンク６の下端部と充填空間３の上端部とは、内部を充填通路９ａとするパイプ状の充填ダクト９で接続され、また貯留タンク６の上端部と充填空間３の下端部とは、内部を回収通路１０ａとするパイプ状の回収ダクト１０で接続されている。また、貯留タンク６には、ブロワーユニット７の吸気側および送気側がそれぞれ接続されている。そして、ブロワーユニット７には、これを制御するコントローラ１１が接続されている。なお、樹脂粒Ａは、例えば直径６ｍｍ程度の球状の発泡スチロール粒などで構成されている。
【００１７】
貯留タンク６には、所定量の樹脂粒Ａが貯留されており、コントローラ１１を介してブロワーユニット７を充填駆動させると、ブロワーユニット７から吐出したエアーが貯留タンク６内の樹脂粒Ａを乗せて、充填ダクト９（充填通路９ａ）を通って充填空間３に吹き出され、樹脂粒Ａを充填空間３内に搬送する。このようにして所定の時間、ブロワーユニット７を充填駆動させると、貯留タンク６内の樹脂粒Ａが充填空間３内に隙間無く充填され、障子２が日除けおよび断熱状態となる。
【００１８】
また、この状態から、コントローラ１１を介してブロワーユニット７を回収駆動させると、ブロワーユニット７により貯留タンク６内のエアーが吸引され、負圧となった貯留タンク６内に、充填空間３から樹脂粒Ａを乗せてたエアーが、回収ダクト１０（回収通路１０ａ）を通って吹き込まれ、樹脂粒Ａを貯留タンク６内に搬送する。このようにして所定の時間、ブロワーユニット７を回収駆動させると、充填空間３内の樹脂粒Ａが貯留タンク６に回収され、障子２が採光状態となる。一方、これらの動作とは別に、障子２は窓枠５に対し開閉自在に構成され、これを開放することにより、室内が換気（自然換気）状態となる。
【００１９】
図２および図３に示すように、窓枠５は断熱構造を有し、枠部断熱材２１を挟んで屋内側に配設した内窓枠２２と、屋外側に配設した外窓枠２３とで構成されている。内窓枠２２は、内上枠２５、内下枠２６および両内縦枠２７を枠組みして構成されている。同様に、外窓枠２３は、外上枠２８、外下枠２９および両外縦枠３０を枠組みして構成されている。そして、ヒンジ４側の外縦枠３０には、上記の回収ダクト１０を覆うダクトカバー３１が装着されている。
【００２０】
障子２は断熱構造を有し、見込み方向に２重に配設した框部断熱材３３，３３を挟んで屋内側に配設した内障子２ａと、屋外側に配設した外障子２ｂとで構成されている。内障子２ａは、内上框３５、内下框３６および両内竪框３７を框組みした内障子框３４に複層ガラス３８を装着して構成されている。同様に、外障子２ｂは、外上框４１、外下框４２および両外竪框４３を框組みした外障子框４０に１枚ガラス４４を装着して構成されている。内上框３５、内下框３６および両内竪框３７は、それぞれ内框本体４６と、内框本体４６に固着され複層ガラス３８を支持する内ガラス支持框４７とで構成されている。同様に、外上框４１、外下框４２および両外竪框４３は、それぞれ外框本体４８と、外框本体４８に固着され１枚ガラス４４を支持する外ガラス支持框４９とで構成されている。
【００２１】
そして、複層ガラス３８、１枚ガラス４４、内障子框３４、外障子框４０、および見込み方向内側の框部断熱材３３により囲まれた空間に、上記の充填空間３が構成されている。また、ヒンジ４は、窓枠側ヒンジ片４ａが外縦枠３０に、障子側ヒンジ片４ｂが外竪框４３に固定されている。さらに、内竪框３７には、障子２を開閉するためのハンドル５０が取り付けられている。さらにまた、内窓枠２２と外窓枠２３の間隙、枠部断熱材２１、充填空間３を含む内障子２ａと外障子２ｂの間隙および２重に配設した框部断熱材３３により、断熱ラインが構成されている。
【００２２】
一方、詳細は後述するが、充填空間３に臨んで、ヒンジ４側の内外両竪框３７，４３の上端部には、上記の充填ダクト９に連なる充填口１２が形成され、下端部には、上記の回収ダクト１０に連なる回収口１３が形成されている。また、外下框４２の外ガラス支持框４９には、その中空部を介して充填空間３と外部を連通する複数の通気孔１４が形成されている。さらに、この外ガラス支持框４９の上部には、先下がりの傾斜片１５が充填空間３に張り出すように設けられている。
【００２３】
図４に示すように、貯留タンク６は、立方体の箱状に形成され、長手方向の一方の端部壁５１ａに吸引口５２および送風口５３が形成され、他方の端部壁５１ｂに導入口５４および供給口５５が形成されている。吸引口５２は貯留タンク６の上部に開口し、ブロワーユニット７の吸気側に連通している。同様に、送風口５３は貯留タンク６の下部に開口し、ブロワーユニット７の送気側に連通している。また、導入口５４は、貯留タンク６の上部において貯留タンク６内に突出した突出パイプ５６の先端に開口しており、突出パイプ５６は、回収ダクト１０に連通している。この場合、導入口５４には弁体５７が取り付けられており、弁体５７は、樹脂粒Ａを回収する際には搬送エアーにより開弁され、樹脂粒Ａを充填する際には、搬送エアーにより閉弁される。また、供給口５５は貯留タンク６の下部に開口し、充填ダクト９に連通している。
【００２４】
この場合、導入口５４は、回収した樹脂粒Ａが貯留タンク６内に均一に蓄積されるように、貯留タンク６の前後方向の略中間上部に配設されている。これに対応する吸引口５２は、搬送エアーが貯留タンク６の上部を流れるように且つ送風口５３に対応して、貯留タンク６の後上部に配設されている。送風口５３は、蓄積した樹脂粒Ａのうち下部のものから送り出すべく且つ吸引口５２に対応して、貯留タンク６の前下部に配設されている。さらに供給口５５は、吸引口５２と対角する位置になるように、貯留タンク６の後下部に配設されている。
【００２５】
貯留タンク６の内部には、回収した樹脂粒Ａと搬送エアーを分離するフィルタ６０が設けられている。フィルタ６０は、吸引口５２側の端部壁５１ａに対しわずかな間隙を存してこれに平行に立ち上がり、更に天壁５１ｃに対しわずかな間隙を存してこれに平行に導入口５４側の端部壁５１ｂまで延びている。すなわち、フィルタ６０は断面「Ｌ」字状に形成され、吸引口５２側の端部壁５１ａおよび天壁５１ｃに沿って、貯留タンク６を吸引口５２側と導入口５４側とに仕切っている。
【００２６】
ブロワーユニット７を回収駆動すると、樹脂粒Ａと共に搬送エアーが貯留タンク６内に吸引され、ここでフィルタ６０により樹脂粒Ａが濾され樹脂粒Ａと搬送エアーとが分離される。搬送エアーは吸引口５２に向かって流れ、樹脂粒Ａは貯留タンク６内のフィルタ６０で区画された空間に蓄積されてゆく。樹脂粒Ａの蓄積が進むと、フィルタ６０の吸引口５２側の部分では、蓄積した樹脂粒Ａで徐々に閉塞（詰まる）されてゆくが、導入口５４側、特に導入口５４の上側部分では、最後まで樹脂粒Ａにより閉塞されることがなく、この部分から搬送エアーが抵抗無く抜けてゆく。このように、回収動作の終盤になっても、搬送エアーは円滑に流れるため、ブロワーユニット７が過負荷になることがなく、且つ樹脂粒Ａを円滑に搬送することができ、樹脂粒Ａの回収を短時間で効率よく行うことができる。
【００２７】
また、貯留タンク６の底壁５１ｄには、送風口５３から貯留タンク６に吹き込まれた搬送エアーを、供給口５５に向かって導くガイド部材６１が設けられている。ガイド部材６１は、長尺帯状の第１ガイド板６１ａと短尺帯状の第２ガイド板６１ｂとから成り、これら両ガイド板６１ａ，６１ｂは、横立姿勢で底壁５１ｄに略「ハ」字状に配設されている。図５に示すように、第１ガイド板６１ａは、送風口５３から流入した搬送エアーが供給口５５に直接向かうように、貯留タンク６の隅部に対応する部分が湾曲している。また、第２ガイド板６１ｂは、第１ガイド板６１ａの湾曲部分を通過した搬送エアーが、さらに供給口５５に確実に向かうように、第１ガイド板６１ａの先端部分に対向して配設されている。なお、第１ガイド板６１ａおよび第２ガイド板６１ｂの幅（高さ）は、いずれも送風口５３および供給口５５の高さと合致している。
【００２８】
このように、搬送エアーは、送風口５３から流入するといったん広がって流れるが、多くは第１ガイド板６１ａおよび第２ガイド板６１ｂにより供給口５５に流れ込む。そして、この搬送エアーの流れに乗るようにして、樹脂粒Ａがその蓄積した下部のものから供給口５５に流れ込んでゆく。樹脂粒Ａが残り少なくなると、樹脂粒Ａは舞い上がり、やがて搬送エアーの流れに乗って供給口５５に導かれる。なお、第１ガイド板６１ａは、湾曲部分だけの短いものであってもよい。また、第２ガイド板６１ｂを省略してもよい。
【００２９】
図６に示すように、ブロワーユニット７は、貯留タンク６の端部壁５１ａの外側に取り付けられており、ブロワー７１と、ブロワー７１の吸気側に接続された吸気ダンパ７２と、ブロワー７１の送気側に接続された送気ダンパ７３と、吸気ダンパ７２および送気ダンパ７３のそれぞれのダンパーブレード７４，７５を切り替えるダンパー切替え機構７６とを備えている。吸気ダンパ７２のダンパーブレード７４は、ブロワー７１の吸気側を上記の吸引口５２に連通する回収動作位置と、外部に連通する充填動作位置しの間で切替え自在に構成されている。同様に、送気ダンパ７３のダンパーブレード７５は、ブロワー７１の送気側を上記の送風口５３に連通する充填動作位置と、外部に連通する回収動作位置との間で切替え自在に構成されている。
【００３０】
ダンパー切替え機構７６は、吸気ダンパ７２のダンパーブレード７４の回動軸７７に固定した吸気側レバー７８と送気ダンパ７３のダンパーブレード７５の回動軸７９に固定された送気側レバー８０とを連結する連結アーム８２と、連結アーム８２を介して両ダンパーブレード７４，７５を作動させるモータ８３と、モータ８３の出力側に連結した減速機８４と、減速機８４の出力側に設けたクランクアーム８５と、クランクアーム８５に連結したコイルばね８６と、一端をコイルばね８６に連結すると共に他端を連結アーム８２と共に吸気側レバー７８に回動自在に連結した作動アーム８７とを有している。
【００３１】
モータ８３が駆動すると、減速機８４を介してクランクアーム８５が回転し、コイルばね８６および作動アーム８７を介して、吸気側レバー７８を回動させる。またこのとき、連結アーム８２を介して、吸気側レバー７８と共に送気側レバー８０も連動して回動する。すなわち、吸気ダンパ７２が回収動作位置から充填動作位置に回動すると、これと同時に送気ダンパ７３が回収動作位置から充填動作位置に回動する。また逆に、吸気ダンパ７２が充填動作位置から回収動作位置に回動すると、これと同時に送気ダンパ７３が充填動作位置から回収動作位置に回動する。
【００３２】
これにより、吸気ダンパ７２および送気ダンパ７３が充填動作位置に回動している状態では、ブロワー７１は外部からエアーを吸引してこれを送風口５３を介して貯留タンク６内に吹き込み、また吸気ダンパ７２および送気ダンパ７３が回収動作位置に回動している状態では、ブロワー７１は貯留タンク６内のエアーを吸引してこれを外部に吹き出すことになる。なお、ブロワー７１により、搬送エアーが貯留タンク６に吹き込まれると、上記の弁体５７が自動的に閉塞し、回収通路１０ａを介して充填空間３の下部に搬送エアーが吹き込まれることがない。
【００３３】
一方、吸気ダンパ７２の回動軸７７には、送気側レバー７８に対向するようにスイッチレバー８９が固定されている。また、スイッチレバー８９挟んで一対のリミットスイッチ９０ａ，９０ｂが配設されている。送気側レバー７８およぴスイッチレバー８９は、モータ８３の駆動にしたがって、同時に且つ同一角度回動する。そして、回動したスイッチレバー８９が一方（図示右側）のリミットスイッチ９０ａをＯＮすることにより、吸気ダンパ７２および送気ダンパ７３の回収動作位置が検出され、他方（図示右側）のリミットスイッチ９０ｂをＯＮすることにより、吸気ダンパ７２および送気ダンパ７３の充填動作位置が検出される。
【００３４】
コントローラ１１は、コントローラ１１の充填ボタン１１ａまたは回収ボタン１１ｂが押されることにより（図1参照）、これに対応してモータ８３を正逆のいずれか一方向に回転させ、対応するリミットスイッチ９０ａ，９０ｂがＯＮしたところで、モータ８３を停止し、続いてブロワー７１を充填駆動または回収駆動する。またこのとき、所定時間内にリミットスイッチ９０ａ，９０ｂがＯＮしない場合には、吸気ダンパ７２および送気ダンパ７３が動作不良と判断されるため、モータ８３を停止させる。そして、モータ８３をいったん逆方向に回転させてから再度同じ動作を行い、これでもリミットスイッチ９０ａ，９０ｂがＯＮしない場合には、警報を発するようにしている。
【００３５】
図１に示すように、充填ダクト９はその充填通路９ａが、貯留タンク６の供給口５５と、障子２に構成した充填空間３の充填口１２とに連通するように配設されているが、障子２が開閉自在に構成されているため、充填ダクト９の窓枠５と障子２を跨ぐ部分には、充填通路ジョイント部材１６が設けられている。同様に、回収ダクト１０はその回収通路１０ａが、貯留タンク６の導入口５４と、障子２に構成した充填空間３の回収口１３とに連通するように配設されているが、障子２が開閉自在に構成されているため、回収ダクト１０の窓枠５と障子２を跨ぐ部分には、回収通路ジョイント部材１７が設けられている。
【００３６】
充填通路ジョイント部材１６と回収通路ジョイント部材１７とは、同様の基本構造を有しており、図７を参照して、回収通路ジョイント部材１７を例にこれらジョイント部材１６，１７の構造について説明する。同図に示すように、回収通路ジョイント部材１７は、窓枠側ジョイント部材９１と障子側ジョイント部材９２とで構成されており、それぞれ内部通路９１ａ，９２ａを有している。障子側ジョイント部材９２の内部通路９２ａの上流側は、障子２側の回収通路１０ａに連通し、窓枠側ジョイント部材９１の内部通路９１ａの下流側は、窓枠５側の回収通路１０ａに連通している。
【００３７】
そして、障子側ジョイント部材９２の内部通路９２ａの下流側と窓枠側ジョイント部材９１の内部通路９１ａの上流側とが、ヒンジ４の軸線Ｌ上において連通している。すなわち、ヒンジ４と同軸上において、障子側ジョイント部材９２の接合筒部９３が窓枠側ジョイント部材９１に嵌合し、この状態で、障子側ジョイント部材９２が窓枠側ジョイント部材９１に対し、ヒンジ４の軸線Ｌ廻りに回動自在に接合されている。
【００３８】
これにより、窓枠５に対して障子２が回動（開閉）すると、窓枠側ジョイント部材９１に対し、障子側ジョイント部材９２が接合筒部９３を中心に回動し、内部通路９１ａ，９２ａ同士の連続性、すなわち回収通路１０における窓枠５と障子２を跨ぐ部分の連続性が維持される。このため、回収通路ジョイント部材１７の部分にあっても樹脂粒Ａは円滑に搬送され、障子２の開放状態および閉塞状態に関係なく樹脂粒Ａの充填および回収が可能になる。
【００３９】
次に、図８および図９を参照して、回収通路ジョイント部材（充填通路ジョイント部材１６）１７の第２および第３実施形態について説明する。図８の平面図に示すように、第２実施形態の回収通路ジョイント部材１７は、窓枠側ジョイント部材９５と障子側ジョイント部材９６とで構成され、両ジョイント部材９５，９６は、ヒンジ４の軸芯Ｓと同心円上に位置して円弧状に形成されている。障子側ジョイント部材９６の外周面は、窓枠側ジョイント部材９５の内周面（内部通路９５ａ）に入れ子式で係合しており、内部通路９５ａ，９６ａ同士を連通した状態で、障子側ジョイント部材９６は、窓枠側ジョイント部材９５に対し、ヒンジ４の軸芯Ｓ廻りに伸縮自在に接合されている。この構成によっても、障子２の開閉を許容した状態で、回収通路１０ａにおける窓枠５と障子２を跨ぐ部分の連続性が維持される。
【００４０】
図９の側面図に示すように、第３実施形態の回収通路ジョイント部材１７は、上記のヒンジ４を兼用しており、窓枠側ジョイント部材９８が窓枠側ヒンジ片４ａに対応し、障子側ジョイント部材９９が障子側ヒンジ片４ｂに対応している。窓枠側ジョイント部材９８および障子側ジョイント部材９９には、それぞれ内部通路９８ａ，９９ａが形成され、内部通路９８ａ，９９ａ同士は、上記の第１実施形態と同様の形態で連通している。この構成によっても、障子２の開閉を許容した状態で、回収通路１０ａにおける窓枠５と障子２を跨ぐ部分の連続性が維持される。なお、両ジョイント部材９８，９９を蛇腹状のフレキシブルダクトで構成してもよい。
【００４１】
次に、図１０を参照して、充填空間３の下端部の回収口１３廻りの構造について説明する。充填空間３の下端部は、外下框４２の外ガラス支持框４９の部位まで延びており、この部分は上記の傾斜片１５により目隠しされている（図２参照）。また、外ガラス支持框４９には見込み方向に複数個の通気孔１４が形成されている。さらに、回収ダクト１０の、回収口１３近傍には、その回収通路１０ａに連通する小孔１８が形成されている。通気孔１４および小孔１８は、外部に開放されており、充填空間３内の搬送エアーが回収ダクト１０を介して吸引されると、それぞれ少量の外気をリークする。
【００４２】
すなわち、充填空間３内の搬送エアーが吸引されると、搬送エアーに引かれた回収口１３の周辺の樹脂粒Ａが、回収口１３に吸い込まれてゆくが、広い充填空間３から狭い回収口１３に樹脂粒Ａが集中して流れ込むと、樹脂粒Ａが回収口１３の部分でブリッジする（詰まる）ことがある。このような状態では、上記の小孔１８からエアーが強く流入し、回収口１３周辺の搬送エアーの流れが不安定（乱流）になり、樹脂粒Ａのブリッジが自動的に解消される。
【００４３】
樹脂粒Ａの回収が進んで、樹脂粒Ａが外ガラス支持框４９の位置まで目減りしてくると、こんどは通気孔１４からエアーが強く流入する。また、傾斜片１５による狭小部分を通過した搬送エアーの流れが不安定になる。この状態では、樹脂粒Ａの残量がかなり少なくなっており、通気孔１４からのエアーにより、樹脂粒Ａは吹き上げられるように舞ながら回収口１３に吸引される。なお、通気孔１４は、充填空間３を挟んで回収口１３に対峙する位置にも形成することが、好ましい。また、上記の小孔１８に代えて、吸引系に圧力センサを設け、樹脂粒Ａのブリッジによる圧力低下を検出して、いったんブロワー７１を停止するようにしてもよい。なお、傾斜片１５は、屋内側から屋外側に張り出すものであってもよい。
【００４４】
次に、図１１および図１２を参照して、本実施形態の窓ユニット１における樹脂粒Ａの充填動作および回収動作について簡単に説明する。図１１は充填動作を表している。ユーザーがコントローラ１１の充填ボタン１１ａを押釦すると、吸気ダンパ７２および送気ダンパ７３が充填動作位置に切り替わり、ブロワー７１が駆動する。ブロワー７１が駆動すると、搬送エアーとしての外気が送風口５３を通って貯留タンク６内に吹き込まれる。貯留タンク６内に吹き込まれた搬送エアーは、その流れに樹脂粒Ａを乗せ、ガイド部材６１に案内されて供給口５５から充填ダクト９に流れ込み、充填口１２から充填空間３に吹き込まれる。このとき、樹脂粒Ａは、充填口１２からばらまかれるようにして充填空間３内を落下し、充填空間３の下部から堆積してゆく。充填空間３に樹脂粒Ａが隙間無く充填されると（時間で制御）、ブロワー７１が停止して充填動作が完了する。
【００４５】
一方、図１２は回収動作を表している。ユーザーがコントローラ１１の回収ボタン１１ｂを押釦すると、吸気ダクト７２および送気ダクト７３が回収動作位置に切り替わり、ブロワー７１が駆動する。ブロワー７１が駆動すると、貯留タンク６内のエアーが吸引口５２を通って吸引され、外部に排気される。この吸引により貯留タンク６内が減圧され、樹脂粒Ａを含んだ搬送エアーが導入口５４から貯留タンク６内に流入する。ここで、樹脂粒Ａは貯留タンク６内にばらまかれ、且つフィルタ６０に阻止されて貯留タンク６内に堆積してゆく、一方、搬送エアーは、貯留タンク６の上部を流れ、フィルタ６０を通過して吸引口５２に吸い込まれてゆく。このようにして、充填空間３から樹脂粒Ａが回収されると（時間で制御）、ブロワー７１が停止して回収動作が完了する。
【００４６】
次に、図１３および図１４を参照して、本発明の第４実施形態について説明する。この実施形態では、充填通路９ａを構成する充填ダクト９を外ダクトとし、回収通路１０ａを構成する回収ダクト１０を内ダクトとして、充填・回収両ダクトが二重ダクト構造になっている。また、充填ダクト９により、ヒンジ４における窓枠側ヒンジ片４ａが構成されている。なお、この二重ダクト構造は、フィクス窓にも適用可能である。
【００４７】
充填ダクト９の上下２箇所には、窓枠側ヒンジ片４ａに対応する一対の障子側ヒンジ片４ｂ，４ｂが、充填ダクト９に回動自在に軸支されており、一対の障子側ヒンジ片４ｂ，４ｂには障子２が取り付けられている。図示しないが、各障子側ヒンジ片４ｂの上下両端部には、摺動筒突起が形成され、この摺動筒突起が充填ダクト９の内周面に回動自在に接合されている。なお、図示では、各障子側ヒンジ片４ｂは充填ダクト９の途中に介設されているが、充填ダクト９の外周面に回動自在に軸支されていてもよい。
【００４８】
外ダクトである充填ダクト９は、貯留タンク６の位置から回収口１３の近傍まで上下方向に延材しており、上部で供給口５５に接続されている。また、充填ダクト９は、上部で充填通路ジョイント部材１６を介して充填口１２に接続されている。充填通路ジョイント部材１６は、上記の障子側ヒンジ片４ｂと同様に、充填ダクト９に回動自在に接合されている。なお、充填ダクト９は、充填通路ジョイント部材１６の接続部下側で気密に閉塞されていることが好ましい。
【００４９】
一方、内ダクトである回収ダクト１０は、充填ダクト９の内部に同軸上に収容されており、上端部で貯留タンク６の導入口５４に接続され、下端部で回収通路ジョイント部材１７を介して回収口１３に接続されている。そして、回収通路ジョイント部材１７は、回収ダクト１０の下端に回動自在に接合されている。なお、図示しないが、回収ダクト１０は上下両端部で充填ダクト９を突き抜けており、この部分では、充填通路９ａが気密に封止されている。
【００５０】
図１４（ｂ）は、上記とは逆に、充填ダクト９と内ダクトとし、回収ダクト１０を外ダクトとした場合を表している。この場合には、内ダクトである充填ダクト９は短いものとなっており、その下端には、充填口１２に連なる充填通路ジョイント部材１６が回動自在に接合されている。また、回収ダクト１０には、充填通路ジョイント部材１６の回動を許容する長孔１００が形成され、回収ダクト１０の内側には、充填通路ジョイント部材１６と共に回動すると共にこの長孔１００を内側から閉塞する封止リング１０１が設けられている。一方、外ダクトである回収ダクト１０は、上端部で導入口５４に接続され、下端部で回収通路ジョイント部材１７を介して回収口１３に接続されている。この場合も、回収通路ジョイント部材１７は、回収ダクト１０の下端に回動自在に接合されている。
【００５１】
このような構成では、充填ダクト９と回収ダクト１０とを二重ダクト構造にしているため、ダクトの設置スペースを小さくすることができ、その分窓枠５をコンパクトに且つ単純な構造にすることができる。また、外ダクトを窓枠側ヒンジ片４ａとして活用するようにしているため、ヒンジ構造を単純化することができると共に、充填通路ジョイント部材１６および回収通路ジョイント部材１７を無理なく設けることができ、障子２の開閉を許容した状態で、回収通路１０ａにおける窓枠５と障子２を跨ぐ部分の連続性を維持することができる。
【００５２】
なお、本発明では、充填空間に対する樹脂粒の充填および回収を強制的に行うようにしているので、貯留タンクを、必ずしも窓枠の上側に配設する必要はない。なんとなれば、貯留タンクを、室内の戸袋などに収容するようにしてもよい。また、制御系を一箇所に集約し、複数の窓ユニットの充填動作および回収動作を、中央でコントロールするようにしてもよい。さらに、本発明は、上記の片開き窓の他、両開き窓や横開き窓などの各種の開き戸形式の窓に適用可能である。
【００５３】
【発明の効果】
以上のように本発明の窓ユニットによれば、障子が開き戸形式で開閉自在に構成されているため、採光機能および断熱・日除け機能に加え換気機能を持たせることができる。また、障子の開閉を許容した状態で、充填通路および回収通路を連続させることができるため、障子の開閉状態に関係なく、樹脂粒を充填空間に充填する充填動作、および貯留タンクに回収する回収動作を行うことができる。したがって、優れた機能を有する窓を構成することができる。
【図面の簡単な説明】
【図１】本発明の一実施形態に係る窓ユニットを模式的に表した構造図である。
【図２】実施形態に係る窓ユニットの縦断面図である。
【図３】実施形態に係る窓ユニットの横断面図である。
【図４】窓ユニットの貯留タンク廻りの斜視図である。
【図５】窓ユニットのブロワーユニット廻りの構造図である。
【図６】窓ユニットのシャッタ開閉機構廻りの構造図である。
【図７】窓ユニットの回収通路ジョイント部材廻りの正面図である。
【図８】第２実施形態に係る回収通路ジョイント部材廻りの平面図である。
【図９】第３実施形態に係る回収通路ジョイント部材の正面図である。
【図１０】窓ユニットの充填空間の下部の構造図である。
【図１１】窓ユニットの充填動作を示す模式図である。
【図１２】窓ユニットの回収動作を示す模式図である。
【図１３】第４実施形態の窓ユニットを模式的に表した構造図である。
【図１４】第４実施形態の窓ユニットの通路ジョイント部材廻りの斜視図である。
【符号の説明】
１  窓ユニット、２  障子、２ａ  内障子、２ｂ  外障子、３  充填空間、４ヒンジ、４ａ  窓枠側ヒンジ片、４ｂ  障子側ヒンジ片、５  窓枠、６  貯留タンク、７  ブロワーユニット、９  充填ダクト、９ａ  充填通路、１０  回収ダクト、１０ａ  回収通路、１６  充填通路ジョイント部材、１７  回収通路ジョイント部材、９１  窓枠側ジョイント部材、９１ａ  内部通路、９２  障子側ジョイント部材、９２ａ  内部通路、９５  窓枠側ジョイント部材、９５ａ  内部通路、９６  障子側ジョイント部材、９６ａ  内部通路、９８  窓枠側ジョイント部材、９８ａ  内部通路、９９  障子側ジョイント部材、９９ａ  内部通路、Ａ  樹脂粒、Ｌ  軸線、Ｓ  軸芯
【図１】
0003655777.tif 000002
【図２】
0003655777.tif 000003
【図３】
0003655777.tif 000004
【図４】
0003655777.tif 000005
【図５】
0003655777.tif 000006
【図６】
0003655777.tif 000007
【図７】
0003655777.tif 000008
【図８】
0003655777.tif 000009
【図９】
0003655777.tif 000010
【図１０】
0003655777.tif 000011
【図１１】
0003655777.tif 000012
【図１２】
0003655777.tif 000013
【図１３】
0003655777.tif 000014
【図１４】
0003655777.tif 000015